(57)【要約】【課題】複数種類のワイヤーロープの清掃に用いることができ、清掃作業の効率を向上させることができるワイヤーロープ清掃用工具を提供する。【解決手段】ワイヤーロープ清掃用工具１は、清掃対象のワイヤーロープＷの形状に対応した貫通穴１１が設けられたアタッチメント１０と、アタッチメント１０を回転可能に保持する保持部２０と、を備え、アタッチメント１０は、保持部２０によって回転可能に保持される円環状の基部１２と、樹脂によって基部１２から貫通穴１１まで形成され、当該貫通穴１１に近づくほど厚みが小さい除去部１３とを有する。【選択図】図２
2020124689.tif 000002
【特許請求の範囲】
【請求項１】
清掃対象のワイヤーロープの形状に対応した貫通穴が設けられたアタッチメントと、
前記アタッチメントを回転可能に保持する保持部と、
を備え、
前記アタッチメントは、前記保持部によって回転可能に保持される円環状の基部と、樹脂によって前記基部から前記貫通穴まで形成され、当該貫通穴に近づくほど厚みが小さい除去部とを有する、ワイヤーロープ清掃用工具。
【請求項２】
前記保持部に装着され、前記アタッチメントの前記除去部で前記ワイヤーロープから除去した除去物体を収容する収容部材をさらに備える、請求項１に記載のワイヤーロープ清掃用工具。
【請求項３】
清掃対象のワイヤーロープの形状に対応した貫通穴が設けられたアタッチメントと、前記アタッチメントを回転可能に保持する保持部と、を備え、前記アタッチメントは、前記保持部によって回転可能に保持される円環状の基部と、樹脂によって前記基部から前記貫通穴まで形成され、当該貫通穴に近づくほど厚みが小さい除去部とを有するワイヤーロープ清掃用工具の使用方法であって、
前記アタッチメントの前記基部の内側に前記ワイヤーロープを配置した状態で、前記樹脂を硬化させて前記アタッチメントに前記除去部を形成する工程と、
前記アタッチメントに形成した前記除去部によって前記ワイヤーロープを清掃する工程と、
を含む、使用方法。
【発明の詳細な説明】
【技術分野】
【０００１】
本発明は、ワイヤーロープ清掃用工具及び使用方法に関する。
【背景技術】
【０００２】
例えば、水力発電所に設置しているダム洪水吐ゲート等の開閉装置は、ゲートを開閉操作するためにワイヤーロープを用いている。ワイヤーロープは、腐食を防止しその耐久性を向上させるために、ワイヤーロープの表面に油が塗油されている。ワイヤーロープは、定期的に清掃・塗油作業が行われている。清掃・塗油作業は、ワイヤーロープに塗油された古い油を取り除いたうえで、新しい油を塗る作業である。古い油を取り除く作業は、紐、スポンジ等を用いて人力で行われている。
【０００３】
特許文献１には、ワイヤーロープに対して圧接するように形成された弾性的孔壁を有するワイヤーロープ挿通孔を中央部に有し、ワイヤーロープに対しその軸線方向へ移動せしめられるときに弾性的孔壁によってワイヤーロープ表面からロープグリースを掻き落すロープグリース掻落し部材を有する劣化ロープグリース除去装置が開示されている。
【先行技術文献】
【特許文献】
【０００４】
【特許文献１】特開２００８−０２３４４６号公報
【発明の概要】
【発明が解決しようとする課題】
【０００５】
しかしながら、ワイヤーロープは、設備ごとに形状、本数等が異なっている場合があり、共通の清掃用工具では清掃することが困難であった。そのため、ワイヤーロープの従来の清掃では、例えば、複数の形状、本数に対応した清掃用工具を複数容易したり、紐やスポンジ等を用いたりする必要があった。また、ワイヤーロープに塗油された古い油が固まっている場合、共通の清掃用工具、紐、スポンジ等では、清掃作業に時間がかかってしまい、清掃作業の効率を向上させるという点で改善の余地がある。
【０００６】
本発明は、上記に鑑みてなされたものであり、複数種類のワイヤーロープの清掃に用いることができ、清掃作業の効率を向上させることができるワイヤーロープ清掃用工具及び使用方法を提供することを目的とする。
【課題を解決するための手段】
【０００７】
上記の目的を達成するため、一態様に係るワイヤーロープ清掃用工具は、清掃対象のワイヤーロープの形状に対応した貫通穴が設けられたアタッチメントと、前記アタッチメントを回転可能に保持する保持部と、を備え、前記アタッチメントは、前記保持部によって回転可能に保持される円環状の基部と、前記基部から前記貫通穴に向かって形成され、当該貫通穴に近づくほど厚みが小さい除去部とを有する。これによれば、ワイヤーロープ清掃用工具は、アタッチメントが基部と除去部とを有することで、除去部のみをワイヤーロープの形状に対応させればよくなる。ワイヤーロープ清掃用工具は、貫通穴に近づくほど除去部の厚みを小さくしていることで、ワイヤーロープに付着した付着物を除去し易くなる。ワイヤーロープ清掃用工具は、アタッチメントの除去部を樹脂で形成することで、除去部の強度を高めることができるとともに、ワイヤーロープの形状に対応した形状を清掃現場での形成を可能とすることができる。すなわち、ワイヤーロープの形状や種類に対応した複数種類のワイヤーロープ清掃用工具を予め用意する必要がなくなる。したがって、ワイヤーロープ清掃用工具は、形状や本数が異なる複数種類のワイヤーロープの清掃に用いることができ、清掃作業の効率を向上させることができる。
【０００８】
望ましい形態として、ワイヤーロープ清掃用工具では、前記保持部に装着され、前記アタッチメントの前記除去部で前記ワイヤーロープから除去した除去物体を収容する収容部材をさらに備えてもよい。これによれば、ワイヤーロープ清掃用工具は、アタッチメントの除去部で除去した除去物体を収容部材に収容することができる。これにより、ワイヤーロープ清掃用工具は、作業者への除去物体の付着や周囲環境への汚染を防止することができる。
【０００９】
上記の目的を達成するため、一態様に係る使用方法は、清掃対象のワイヤーロープの形状に対応した貫通穴が設けられたアタッチメントと、前記アタッチメントを回転可能に保持する保持部と、を備え、前記アタッチメントは、前記保持部によって回転可能に保持される円環状の基部と、前記基部から前記貫通穴に向かって形成され、当該貫通穴に近づくほど厚みが小さい除去部とを有するワイヤーロープ清掃用工具の使用方法であって、前記アタッチメントの前記基部の内側に前記ワイヤーロープを配置した状態で、硬化する性質を有する樹脂によって前記アタッチメントに前記除去部を形成する工程と、前記除去部が形成された前記アタッチメントを前記保持部で保持した状態で、前記手持ち部によって前記アタッチメントが前記ワイヤーロープの軸方向に移動される工程と、を含む。これによれば、使用方法は、清掃対象のワイヤーロープを保持部の内側に配置した状態で、当該ワイヤーロープに対応した除去部を清掃現場でアタッチメントに形成することができる。使用方法は、ワイヤーロープ清掃用工具の除去部によってワイヤーロープの表面から付着物を除去し易くなるので、清掃作業の効率を向上させることができる。したがって、使用方法は、ワイヤーロープ清掃用工具を用いて、形状や本数が異なる複数種類のワイヤーロープの清掃作業の効率を向上させることができる。
【発明の効果】
【００１０】
本発明によれば、複数種類のワイヤーロープの清掃に用いることができ、清掃作業の効率を向上させることができるワイヤーロープ清掃用工具及び使用方法を提供することができる。
【図面の簡単な説明】
【００１１】
【図１】図１は、実施形態に係るワイヤーロープ清掃用工具の外観を示す斜視図である。
【図２】図２は、図１におけるワイヤーロープ清掃用工具のＡ−Ａ断面を示す断面図である。
【図３】図３は、図１におけるワイヤーロープのＢ−Ｂ断面を示す断面図である。
【図４】図４は、ワイヤーロープ清掃用工具に除去部を形成した後の斜視図である。
【図５】図５は、実施形態に係るワイヤーロープ清掃用工具の使用方法の一例を示すフローチャートである。
【図６】図６は、実施形態に係るワイヤーロープ清掃用工具１の除去部１３を形成する一例を示す図である。
【発明を実施するための形態】
【００１２】
本発明を実施するための形態（実施形態）について、図面を参照しつつ詳細に説明する。なお、本実施形態に記載した内容により本発明が限定されるものではない。また、以下に記載した構成要素には、当業者が容易に想定できるもの、実質的に同一のものが含まれる。さらに、以下に記載した構成要素は適宜組合せることが可能である。
【００１３】
図１は、実施形態に係るワイヤーロープ清掃用工具の外観を示す斜視図である。図２は、図１におけるワイヤーロープ清掃用工具のＡ−Ａ断面を示す断面図である。図３は、図１におけるワイヤーロープのＢ−Ｂ断面を示す断面図である。
【００１４】
図１及び図２に示すように、実施形態に係るワイヤーロープ清掃用工具１は、ワイヤーロープＷの表面に塗油された古い油Ｇを取り除く作業に用いられる。油Ｇは、例えば、グリースを含む。ワイヤーロープＷは、機能維持のために、定期的に清掃・塗油が行われる。ワイヤーロープ清掃用工具１は、例えば、洪水吐ゲート等の開閉装置、エレベータ、リフト、ケーブルカー、クレーン車等で用いられるワイヤーロープＷの清掃作業に用いられる。
【００１５】
図３に示すように、ワイヤーロープＷは、複数本の鋼線を束ねた鋼線群Ｗ１を複数撚り合わせて構成されている。ワイヤーロープＷは、軸方向Ｃ（延在方向）において、螺旋状に形成されており、隣り合う鋼線群Ｗ１同士の間の表面には凹部Ｗ２が形成されている。図３に示す一例では、ワイヤーロープＷは、７本の鋼線群Ｗ１を撚り合わせた構成について説明するが、これに限定されない。例えば、ワイヤーロープＷは、７本とは異なる本数の鋼線群Ｗ１を撚り合わせた構成としてもよい。なお、清掃対象のワイヤーロープＷとは、表面に油が塗油された状態で、使用されているワイヤーロープを意味する。清掃対象のワイヤーロープＷは、凹部Ｗ２に油Ｇが吸着した状態となっている。
【００１６】
図１及び図２に戻り、ワイヤーロープ清掃用工具１は、アタッチメント１０と、保持部２０と、手持ち部３０と、を備える。アタッチメント１０は、清掃対象のワイヤーロープＷの形状に対応した貫通穴１１が設けられている。形状に対応した貫通穴１１とは、例えば、断面形状または外形と類似した形状の穴を意味する。断面形状とは、例えば、ワイヤーロープＷの径方向、すなわち軸方向Ｃと交わる方向の断面の形状を意味する。保持部２０は、アタッチメント１０を回転可能に保持する。手持ち部３０は、作業者が手で握るワイヤーロープ清掃用工具１の部分である。
【００１７】
アタッチメント１０は、基部１２と、除去部１３とを有する。基部１２は、樹脂によって円環状に形成されている。基部１２は、保持部２０によって回転可能に保持される。本実施形態では、基部１２は、外周面に円環状の凸部１２ａを有し、当該凸部２１ａを保持部２０の溝２１に嵌め込むことで、回転可能な構成となっている。基部１２は、除去部１３を固定するための固定部１２ｂを内周側に有している。固定部１２ｂは、ワイヤーロープＷの軸方向Ｃに沿って凸部と凹部とが並んで複数形成されている。固定部２１ｂは、凸部と凹部とに除去部１３が固定されることで、除去部１３がワイヤーロープＷの軸方向Ｃへ移動することを規制している。
【００１８】
アタッチメント１０の基部１２は、一対の第１基部１２ｃと第２基部１２ｄとがつがいになっている。基部１２は、ワイヤーロープＷを取り囲むように、第１基部１２ｃと第２基部１２ｄとが組み合わされることで、基部１２の内側にワイヤーロープＷを配置する構成となっている。
【００１９】
除去部１３は、樹脂によって基部１２から貫通穴１１まで形成されている。例えば、樹脂は、２液混合によって短時間で硬化する性質を有する合成樹脂である。除去部１３は、基部１２と貫通穴１１との間に設けられている。換言すると、除去部１３は、先端部１３ａによってワイヤーロープＷの形状に対応した貫通穴１１を形成している。本実施形態では、先端部１３ａは、ワイヤーロープＷと接触する除去部１３の先端の面である。
【００２０】
図４は、ワイヤーロープ清掃用工具１に除去部１３を形成した後の斜視図である。図４に示すように、除去部１３の先端部１３ａは、ワイヤーロープＷの外形に対応した形状で形成されている。本実施形態では、先端部１３ａは、ワイヤーロープＷの螺旋状の凹部Ｗ２に対応した部分が凸状に形成されている。先端部１３ａは、ワイヤーロープＷの外形に対応した形状で形成されることで、当該ワイヤーロープＷの軸方向Ｃに沿って相対移動しながら、ワイヤーロープＷに対する相対回転が可能となっている。
【００２１】
ワイヤーロープ清掃用工具１は、アタッチメント１０の除去部１３を硬化性の樹脂によって形成することで、例えば、紐、スポンジ等よりも、除去部１３の強度を高めることができ、かつ、ワイヤーロープＷの形状に対応した形状の除去部１３を清掃現場で形成可能とすることができる。これにより、ワイヤーロープ清掃用工具１は、複数種類のワイヤーロープＷへの対応が可能となり、共通化を図ることができる。
【００２２】
図２に戻り、除去部１３は、貫通穴１１に近いほど厚みが小さくなっている。ワイヤーロープ清掃用工具１は、貫通穴１１に近づくほど除去部１３の厚みを小さくしていることで、ワイヤーロープＷに塗油された油Ｇを除去し易くなっている。本実施形態では、除去部１３は、基部１２からワイヤーロープＷに向かって傾斜する傾斜面１３ｂを有する場合について説明するが、これに限定されない。除去部１３は、例えば、階段状に形成してもよい。
【００２３】
除去部１３は、清掃現場等でワイヤーロープＷがアタッチメント１０の円環状の基部１２の内側に配置された状態で、樹脂を硬化させて形成される。すなわち、ワイヤーロープ清掃用工具１は、清掃前の段階では、アタッチメント１０が基部１２のみを有し、清掃時に清掃現場で除去部１３がアタッチメント１０に形成される。これにより、ワイヤーロープ清掃用工具１は、清掃対象のワイヤーロープＷの形状に対応した貫通穴１１及び除去部１３がアタッチメント１０に形成される。
【００２４】
除去部１３は、基部１２の固定部１２ｂの凹んだ部分に充填された樹脂が硬化することで、基部１２の固定部１２ｂに固定される。なお、樹脂は、短時間で硬化するものを用いれば、ワイヤーロープ清掃用工具１を用いた清掃を迅速に開始することができる。除去部１３は、当該固定部１２ｂの凹凸によってワイヤーロープＷの軸方向Ｃへの移動が規制されているので、清掃中に外れることを防止することができる。
【００２５】
保持部２０は、樹脂または金属によって円環状に形成されている。保持部２０は、アタッチメント１０の凸部１２ａが回転可能に嵌め込まれる溝２１を有する。溝２１は、保持部２０の内周面に形成されている。保持部２０は、アタッチメント１０の凸部１２ａが溝２１に嵌め込まれることで、アタッチメント１０を回転可能に保持する。
【００２６】
保持部２０は、第１保持部２２と第２保持部２３とがつがいとなっている。保持部２０は、清掃現場のワイヤーロープＷの周囲で、アタッチメント１０の凸部１２ａが溝２１に嵌め込まれるように、第１保持部２２と第２保持部２３とが組合わさることで、保持部２０の内側にワイヤーロープＷを配置することができる。
【００２７】
手持ち部３０は、保持部２０から外部に向かって突出するように形成されている。手持ち部３０は、保持部２０に一体に形成されてもよいし、固定部材によって保持部２０に固定されてもよい。手持ち部３０は、ワイヤーロープＷの清掃時に、作業者の手をワイヤーロープＷから離すことで、例えば、ワイヤーロープＷの素線切れが生じたことによる怪我を防止することができる。
【００２８】
手持ち部３０は、第１保持部２２に設けられた第１手持ち部３１と、第２保持部２３に設けられた第２手持ち部３２とを有している。手持ち部３０は、第１手持ち部３１と第２手持ち部３２とが合わさった状態で、固定バンド４０で固定されている。
【００２９】
本実施形態では、ワイヤーロープ清掃用工具１は、図１及び図２に示すように、保持部２０に装着される収容部材５０を備える。収容部材５０は、アタッチメント１０によってワイヤーロープＷから除去した油Ｇ（除去物体）を収容する容器、袋等を含む。収容部材５０は、例えば、ワイヤーロープ清掃用工具１の保持部２０に着脱自在に装着部材によって設けられる。収容部材５０は、保持部２０の外周の縁に沿って開口５１を配置している。図２の破線矢印Ｒに示すように、収容部材５０は、アタッチメント１０の一方の面（図２における上面）側に除去された油Ｇを、開口５１から収容部材５０の内部である収容部５２に収容することができる。また、収容部材５０は、アタッチメント１０の他方の面（図２における下面）側に除去されて落下した油Ｇを、収容部材５０の収容部５２に収容することができる。
【００３０】
次に、図５及び図６を参照しながら、ワイヤーロープ清掃用工具１の使用方法の一例を説明する。図５は、実施形態に係るワイヤーロープ清掃用工具１の使用方法の一例を示すフローチャートである。図６は、実施形態に係るワイヤーロープ清掃用工具１の除去部１３を形成する一例を示す図である。
【００３１】
図５に示す工程Ｓ１は、ワイヤーロープ清掃用工具１を配置するワイヤーロープＷの一部の箇所の表面から油Ｇを拭き取る工程である。使用方法は、工程Ｓ１により、ワイヤーロープＷの一部の外周箇所で作業者によって油Ｇが拭き取られ、ワイヤーロープＷの形状を露出させることで、ワイヤーロープＷの正確な形状の型取りを可能にしている。
【００３２】
工程Ｓ２は、アタッチメント１０の基部１２の内側に、油が拭き取られたワイヤーロープＷの部分を配置する工程である。使用方法は、工程Ｓ２により、ワイヤーロープ清掃用工具１のアタッチメント１０の基部１２が、油Ｇを拭き取ったワイヤーロープＷの部分に配置された状態になる。例えば、ワイヤーロープ清掃用工具１は、一対の第１基部１２ｃと第２基部１２ｄとをワイヤーロープＷを挟み込むように組み付けられる。そして、ワイヤーロープ清掃用工具１は、基部１２を保持するように、第１保持部２２と第２保持部２３とを組み付けて固定されるとともに、第１手持ち部３１と第２手持ち部３２とを組み合わせた状態で固定バンド４０によって固定される。
【００３３】
工程Ｓ３は、ワイヤーロープＷとアタッチメント１０の基部１２との間に樹脂を注入し、アタッチメント１０に除去部１３を形成する工程である。例えば、図６のステップＳ３１に示すように、ワイヤーロープ清掃用工具１は、ワイヤーロープＷとアタッチメント１０の基部１２との間に、２液混合によって硬化する樹脂が充填装置１００によって充填される。この場合、ワイヤーロープ清掃用工具１は、ワイヤーロープＷとアタッチメント１０の基部１２の底面との間に底板等が配置されており、充填装置１００によって充填された樹脂が外部に漏れることを防止している。そして、ステップＳ３２では、ワイヤーロープ清掃用工具１は、へら、板等によって除去部１３の傾斜面１３ｂが形成され、その後、充填された樹脂が硬化することで、除去部１３が完成する。このように、ワイヤーロープ清掃用工具１は、ワイヤーロープＷの形状に対応した除去部１３がアタッチメント１０に形成されるので、アタッチメント１０の共通化を図ることができる。
【００３４】
工程Ｓ４は、除去部１３が硬化した後、アタッチメント１０に形成した除去部１３で、ワイヤーロープＷを清掃する工程である。例えば、図２に示す移動方向ＭへワイヤーロープＷが移動された場合、ワイヤーロープ清掃用工具１は、手持ち部３０によって所定の位置で固定されるので、ワイヤーロープＷの移動に応じてアタッチメント１０が相対回転する。例えば、手持ち部３０によってワイヤーロープ清掃用工具１を移動させる場合、ワイヤーロープ清掃用工具１は、ワイヤーロープＷに対してアタッチメント１０が相対回転しながら移動する。以上により、ワイヤーロープ清掃用工具１は、ワイヤーロープＷに沿って相対回転する除去部１３によってワイヤーロープＷの表面に塗油されている油Ｇを除去する。ワイヤーロープ清掃用工具１は、除去部１３がワイヤーロープＷの形状に対応し、硬化した樹脂によって形成されているので、除去部１３によってワイヤーロープＷの表面の凹部Ｗ２内の油Ｇも除去することができる。そして、ワイヤーロープ清掃用工具１は、除去した油Ｇがアタッチメント１０の表面に蓄積すると、当該油Ｇが収容部材５０に収容される。
【００３５】
以上説明したように、ワイヤーロープ清掃用工具１は、アタッチメント１０が基部１２と除去部１３とを有することで、除去部１３のみをワイヤーロープＷの形状に対応させればよくなる。ワイヤーロープ清掃用工具１は、貫通穴１１に近づくほど除去部１３の厚みを小さくしていることで、ワイヤーロープＷに付着した油Ｇを除去し易くなる。ワイヤーロープ清掃用工具１は、アタッチメント１０の除去部１３を樹脂で形成することで、除去部１３の強度を高めることができるとともに、ワイヤーロープＷの形状に対応した除去部１３を清掃現場で形成可能とすることができる。これにより、ワイヤーロープ清掃用工具１は、形状や本数が異なる複数種類のワイヤーロープＷの清掃に用いることができ、清掃作業の効率を向上させることができる。
【００３６】
また、ワイヤーロープ清掃用工具１は、アタッチメント１０の除去部１３で除去した油Ｇを収容部材５０に収容することができる。これにより、ワイヤーロープ清掃用工具１は、作業者への除去物体の付着や周囲環境への汚染を防止することができる。
【００３７】
また、ワイヤーロープ清掃用工具１は、手持ち部３０を保持部２０から延在させることで、当該手持ち部３０によってワイヤーロープＷと作業者の手との距離を離した状態を維持することができる。よって、万が一、ワイヤーロープＷに素線切れや変形が清掃時に生じても、作業者への危険性を低下させることができるため、ワイヤーロープ清掃用工具１は、清掃中の安全性を向上させることができる。
【００３８】
ワイヤーロープ清掃用工具１の使用方法は、清掃対象のワイヤーロープＷを保持部２０の内側に配置した状態で、当該ワイヤーロープＷに対応した除去部１３を清掃現場でアタッチメント１０に形成することができる。使用方法は、ワイヤーロープ清掃用工具の除去部１３によってワイヤーロープＷの表面から付着物を除去するし易くなるので、清掃作業の効率を向上させることができる。これにより、使用方法は、ワイヤーロープ清掃用工具１を用いて、形状や本数が異なる複数種類のワイヤーロープＷの清掃作業の効率を向上させることができる。
【００３９】
上述したように、ワイヤーロープＷは、ワイヤーロープ清掃用工具１によって表面の油Ｇが除去されると、当該表面に新しい油Ｇが塗油されることで、機能が維持される。
【００４０】
ワイヤーロープ清掃用工具１は、清掃が終了したとき、次の清掃を開始する直前等に、除去部１３を削除して、アタッチメント１０を再利用してもよい。これにより、ワイヤーロープ清掃用工具１は、複数種類のワイヤーロープＷに対応した専用の工具とする必要がなくなり、ワイヤーロープ清掃用工具１の管理を簡単化することができる。
【００４１】
上記の実施形態では、ワイヤーロープ清掃用工具１は、ワイヤーロープＷの清掃時に収容部材５０を装着する場合について説明したが、これに限定されない。例えば、ワイヤーロープ清掃用工具１は、収容部材５０を装着せずにワイヤーロープＷの清掃を行ってもよい。
【符号の説明】
【００４２】
１  ワイヤーロープ清掃用工具
１０  アタッチメント
１１  貫通穴
１２  基部
１３  除去部
１３ａ  先端部
１３ｂ  傾斜面
２０  保持部
２１  溝
２２  第１保持部
２３  第２保持部
３０  手持ち部
３１  第１手持ち部
３２  第２手持ち部
４０  固定バンド
５０  収容部材
５１  開口
５２  収容部
Ｗ  ワイヤーロープ
【図１】
2020124689.tif 000003
【図２】
2020124689.tif 000004
【図３】
2020124689.tif 000005
【図４】
2020124689.tif 000006
【図５】
2020124689.tif 000007
【図６】
2020124689.tif 000008